(57)【要約】      （修正有）【課題】スマートフォン等の表示画面が横向きとなる立て掛け状態をとり得るタッチペンを提供する。【解決手段】タッチペンＴＰは、その一端部にタッチパネル操作用のパッド部１ｂを有し、その側面には、タッチパネル式の表示画面を有する例えばスマートフォン６０の側縁部が挿入される支持溝部２１が形成される。タッチペンＴＰを例えば机上面５０上に横倒し状態として、その支持溝部２１にスマートフォン６０の側縁部を挿入することにより、スマートフォン６０が立て掛け状態とされる。【選択図】図５
0003211648.tif 000002
【実用新案登録請求の範囲】
【請求項１】
一端部にタッチパネル操作用のパッド部を有し、
側面に、タッチパネル式の表示画面を有する携帯型の情報処理装置の側縁部が挿入されて、該情報処理装置を立て掛け支持するための支持溝部が形成されている、
ことを特徴とする立て掛けスタンドを兼用したタッチペン。
【請求項２】
請求項１において、
他端部に印鑑部が構成されている、ことを特徴とする立て掛けスタンドを兼用したタッチペン。
【請求項３】
請求項２において、
一端部に前記パッド部が構成された第１部材と、側面に前記支持溝部が形成された第２部材と、前記印鑑部を構成する第３部材とが、互いに別部材によって構成され、
前記第２部材の一端部側に、前記第１部材が連結、一体化され、
前記第２部材の他端部側に、前記第３部材が連結、一体化されている、
ことを特徴とする立て掛けスタンドを兼用したタッチペン。
【請求項４】
請求項１ないし請求項請求項３のいずれか１項において、
側面のうち前記支持溝部の底壁側となる面を除く位置において、ポケットの開口縁部に係止されるクリップが取付けられている、ことを特徴とする立て掛けスタンドを兼用したタッチペン。
【請求項５】
請求項１において、
一端部側に前記支持溝部が形成された中空状の本体部材と、
前記本体部材とは別個に構成され、先端部が筆記部とされると共に基端部に前記パッド部が構成された筆記用部材と、
を備え、
前記筆記用部材の先端部側が、前記支持溝部側の端部から前記本体部材内に抜き差し可能として挿入保持されている、
ことを特徴とする立て掛けスタンドを兼用したタッチペン。
【請求項６】
請求項５において、
前記本体部材の他端部側に、印鑑部が構成されている、ことを特徴とする立て掛けスタンドを兼用したタッチペン。
【請求項７】
請求項５または請求項６において、
前記筆記用部材の外周面に、拡径された環状のストッパ部が形成され、
前記筆記用部材の先端部側を前記本体部材内に挿入したときに、前記ストッパ部が該本体部材の端面に当接してそれ以上の挿入が規制される、
ことを特徴とする立て掛けスタンドを兼用したタッチペン。
【請求項８】
請求項５ないし７のいずれか１項において、
前記本体部材の内周面または前記筆記用部材の外周面に、該本体部材内に該筆記用部材の先端部側を挿入した状態で、該本体部材の内周面と該筆記用部材の外周面との間に介在されて、該筆記用部材の該本体部材からの抜け止めを行う弾性体からなるリング状のストッパ部材が保持されている、ことを特徴とする立て掛けスタンドを兼用したタッチペン。
【請求項９】
請求項１ないし請求項８のいずれか１項において、
前記支持溝部が、側面視において傾斜されている、ことを特徴とする立て掛けスタンドを兼用したタッチペン。
【請求項１０】
請求項９において、
前記支持溝部が、一端部側と他端部側とのうち一方側の端部に片寄った位置に形成され、
前記支持溝部が、側面視において、前記一方側の端部とは反対側の端部に向けて傾斜されている、
ことを特徴とする立て掛けスタンドを兼用したタッチペン。
【請求項１１】
請求項１ないし請求項１０のいずれか１項において、
前記支持溝部が、奥側に向かうにつれて徐々に幅狭となるように形成されている、ことを特徴とする立て掛けスタンドを兼用したタッチペン。
【請求項１２】
請求項１ないし請求項１１のいずれか１項において、
前記携帯型の情報処理装置が、スマートフォンとされている、ことを特徴とする立て掛けスタンドを兼用したタッチペン。
【考案の詳細な説明】
【技術分野】
【０００１】
本考案は、立て掛けスタンドを兼用したタッチペンに関するものである。
【背景技術】
【０００２】
最近の携帯型情報処理装置、例えばタブレット型パソコン、スマートフォン等にあっては、表示画面がタッチパネル式とされたものが多くなっている。タッチパネル式の表示画面の操作を簡単かつ素早く行うために、特許文献１に示すように、先端部に導電性ゴム等の柔らかいパッド部を有するタッチペンが使用されることも多くなっている。
【先行技術文献】
【特許文献】
【０００３】
【特許文献１】特開２０１６−１６７２３９  号公報
【考案の概要】
【考案が解決しようとする課題】
【０００４】
ところで、タッチパネル式の表示画面を有する例えばスマートフォンのような携帯型の情報処理装置にあっては、薄型であって、机上に載置した状態では、その表示画面がまっすぐ上方を向いた状態とされるのが通常である。
【０００５】
一方、携帯型の情報処理装置を、その表示画面がほぼ横方向や斜め上方を向いた横向き状態で使用すること、つまり立て掛け状態で使用することが要求される場合があるが、このような要求に応えることのできないのが実情である。
【０００６】
本考案は以上のような事情を勘案してなされたもので、その目的は、タッチペンを有効に利用して、携帯型の情報処理装置を立て掛け状態にすることのできるようにした立て掛けスタンドを兼用したタッチペンを提供することにある。
【課題を解決するための手段】
【０００７】
前記目的を達成するため、本考案にあっては次のような解決手法を採択してある。すなわち、請求項１に記載のように、
一端部にタッチパネル操作用のパッド部を有し、
側面に、タッチパネル式の表示画面を有する携帯型の情報処理装置の側縁部が挿入されて、該情報処理装置を立て掛け支持するための支持溝部が形成されている、
ようにしてある。
【０００８】
上記解決手法によれば、タッチペンの一端部に構成されたパッド部によって、タッチパネル式の表示画面を操作できる。また、タッチペンを机上面等に横倒し状態として、その支持溝部に携帯型情報処理装置の側縁部を挿入することにより、携帯型情報処理装置を立て掛けた状態に保持しておくことができる。
【０００９】
上記解決手法を前提とした好ましい態様は、次のとおりである。すなわち、
他端部に印鑑部が構成されている、ようにしてある（請求項２対応）。この場合、タッチペンを、さらに印鑑として兼用させることができる。
【００１０】
一端部に前記パッド部が構成された第１部材と、側面に前記支持溝部が形成された第２部材と、前記印鑑部を構成する第３部材とが、互いに別部材によって構成され、
前記第２部材の一端部側に、前記第１部材が連結、一体化され、
前記第２部材の他端部側に、前記第３部材が連結、一体化されている、
ようにしてある（請求項３対応）。この場合、機能別に互いに別部材によって構成することにより、各機能部分の形成が容易となる。
【００１１】
側面のうち前記支持溝部の底壁側となる面を除く位置において、ポケットの開口縁部に係止されるクリップが取付けられている、ようにしてある（請求項４対応）。この場合、タッチペンを使用しないときは、クリップを利用して胸ポケットの開口縁部等を挟んだ安定した状態でタッチペンを収納することができる。
【００１２】
一端部側に前記支持溝部が形成された中空状の本体部材と、
前記本体部材とは別個に構成され、先端部が筆記部とされると共に基端部に前記パッド部が構成された筆記用部材と、
を備え、
前記筆記用部材の先端部側が、前記支持溝部側の端部から前記本体部材内に抜き差し可能として挿入保持されている、
ようにしてある（請求項５対応）。この場合、筆記具としても兼用させることができる。
【００１３】
前記本体部材の他端部側に、印鑑部が構成されている、ようにしてある（請求項６対応）。この場合、印鑑としても兼用させることができる。
【００１４】
前記筆記用部材の外周面に、拡径された環状のストッパ部が形成され、
前記筆記用部材の先端部側を前記本体部材内に挿入したときに、前記ストッパ部が該本体部材の端面に当接してそれ以上の挿入が規制される、
佳枝７対応）。この場合、筆記用部材が本体部材内に挿入されたときの長さを、常時所定長さとすることができる。
【００１５】
前記本体部材の内周面または前記筆記用部材の外周面に、該本体部材内に該筆記用部材の先端部側を挿入した状態で、該本体部材の内周面と該筆記用部材の外周面との間に介在されて、該筆記用部材の該本体部材からの抜け止めを行う弾性体からなるリング状のストッパ部材が保持されている、ようにしてある（請求項８対応）。この場合、筆記用部材を本体部材内に挿入した状態で、がたつきを防止しつつ、筆記用部材が本体部材から不用意に抜け落ちてしまう事態を防止する上で好ましいものとなる。
【００１６】
前記支持溝部が、側面視において傾斜されている、ようにしてある（請求項９対応）。この場合、携帯型情報処理装置を机上面等に立て掛け状態としたとき、その表示画面を斜め上向きとすることができ、斜め上方から表示画面を目視する場合に好適となる。
【００１７】
前記支持溝部が、一端部側と他端部側とのうち一方側の端部に片寄った位置に形成され、
前記支持溝部が、側面視において、前記一方側の端部とは反対側の端部に向けて傾斜されている、
ようにしてある（請求項１０対応）。この場合、携帯型情報処理装置を立て掛け支持したとき、携帯型情報処理装置の重量（モーメント）を、タッチペンの極力長い範囲でもって受け止めて、携帯型情報処理装置を安定して立て掛け支持する上で好ましいものとなる。
【００１８】
前記支持溝部が、奥側に向かうにつれて徐々に幅狭となるように形成されている、ようにしてある（請求項１１対応）。この場合、携帯型情報処理装置の側縁部を支持溝部に挿入することが容易となり、また携帯型情報処理装置の側縁部の厚さの相違にも対応することができる。
【００１９】
前記携帯型の情報処理装置が、スマートフォンとされている、ようにしてある（請求項１２対応）。この場合、広く普及しているスマートフォンを、必要に応じて立て掛け支持させることができる。
【考案の効果】
【００２０】
本考案によれば、タッチペンを有効に利用して、携帯型の情報処理装置を立て掛け状態にすることができる。
【図面の簡単な説明】
【００２１】
【図１】本考案の第１の実施形態を示す側面図。
【図２】図１の平面図。
【図３】図１、図２の状態から印鑑部のキャップを取外した状態を示す斜視図。
【図４】図１の側面断面図。
【図５】スマートフォンを立て掛けている状態を示す斜視図。
【図６】本考案の第２の実施形態を示す分解側面図。
【図７】第２の実施形態における組立状態を示す側面図。
【考案を実施するための形態】
【００２２】
図１〜図５は、本考案の第１の実施形態によるタッチペンＴＰを示すものである。このタッチペンＴＰは、軸方向に直列に配設された複数の部材を互いに連結、一体化することにより構成されている。すなわち、中空軸状とされた第１部材１０と、中空状の第２部材２０と、印鑑部を構成する第３部材３０とを、互いに一体化することにより構成されている。第１部材１０の端部には、パッド部材１が一体化されている。
【００２３】
パッド部材１は、例えば導電性ゴムによって形成されて、第１部材１０の一端部（図１、図２、図４における左端部）に取付けられている。すなわち、パッド部材１の取付部１ａが第１部材１０内にきつく嵌合されて一体化されている（一体化のために接着材を用いることもできる）。パッド部材１のうち、第１部材１０から外部に突出する先端部が、タッチパネル式の表示画面に当接されるパッド部１ｂとされている。実施形態では、パッド部１ｂの内部に中空部１ｃが形成されて（図４参照）、パッド部１ｂが十分に柔軟性を有するように設定されている。
【００２４】
第１部材１０は合成樹脂によって形成されて、その側面には、クリップ１１が取付けられている。このクリップ１１を利用して、タッチペンＴＰが、衣服の胸ポケットや内ポケットの開口縁部に係止可能とされている。
【００２５】
第１部材１０の他端部、つまりパッド部材１とは反対側の端部に、中空状（筒状）の第２部材２０が嵌合形式により連結されて、接着材によって互いに一体化されている。そして、第２部材２０の他端部に、第３部材３０が嵌合形式によって連結されて、接着材によって互いに一体化されている。
【００２６】
第３部材３０は、実施形態では浸透式とされて、インクを貯溜したタンク部材３１と、キャップ３２とを有する。タンク部材３１の略半分が第２部材２０内に嵌合、一体化され（タンク部材３１が第２部材２０との結合部とされている）、タンク部材３１の残り半分は第２部材２０から外部へ突出されている。そして、タンク部材３１のうち、外部へ突出する部分の端面が、押印面３１ａとされている。この押印面３１ａに名前等の文字や記号等が施されるもので、実施形態では、「谷川」の名前（姓）が施されている（図３参照）。キャップ３２は、押印面３１ａを覆うように、タンク部材３１に対して着脱自在に嵌合（装着）される。
【００２７】
第３部材３０は、浸透式であることから、朱肉を別途用いることなく、押印面３１ａでもって繰り返し押印することが可能となっている。なお、第３部材３０は、浸透式とすることなく、押印する毎に別途朱肉を使用するタイプのものであってもよい。
【００２８】
第２部材２０は合成樹脂あるいは硬質ゴムによって形成されているが、特に滑りにくい材質によって形成するのが好ましい。第２部材２０の側面には、切欠状の支持溝部２１が形成されている。支持溝部２１の説明上、第２部材２０の側面（外周面）のうち、クリップ１１が存在する側の面部分を上面部２０ａとし、この上面部２０ａの左右に位置する面部分を左右面部２０ｂと称する。支持溝部２１は、上面分２０ａに向けて開口されると共に、左右面部２０ｂにも開口されている。つまり、支持溝部２１は、タッチペンＴＰの軸線方向と直交する方向に延びる溝形式として形成されている。
【００２９】
支持溝部２１のうち、上面部２０ａ側の開口部が上方開口部２１ａとして示され、左右面部２０ｂ側の開口部が左右開口部２１ｂとして示され、支持溝部２１の底壁部が符号２１ｃで示される。また、支持溝部２１のうち、パッド分１ｂ側の支承面が符号２１ｄで示され、この支承面２１ｄに対向する反対側の支承面が符号２１ｅで示される。
【００３０】
支持溝部２１は、特に図１、図４に示すように、側面視においてパッド部１ｂ側に向けて傾斜するように形成されている。すなわち、支持溝部２１のうち、パッド部１ｂ側の略円弧状の支承面２１ｄが、上方開口部２１ａに向かうつれて徐々にパッド部１ｂに近づくように傾斜されている。同様に、パッド部１ｂとは反対側に位置する略円弧状の支承面２１ｅが、上方開口部２１ａに向かうつれて徐々にパッド部１ｂに近づくように傾斜されている。ただし、支承面２１ｅの傾斜度合いは、支承面２１ｄの傾斜度合いよりも弱くされている。つまり、支持溝部２１は、上方開口部２１ａに向けて徐々の幅広くなるように（支承面２１ｄと２１ｅとの間隔が徐々に大きくなるように）形成されている。換言すれば、支持溝部２１は、その底壁部２１ｃに近づくにつれて、徐々に幅が狭くなるように形成されている。
【００３１】
以上のような構成のタッチペンＴＰは、比較的短尺とされ、実施形態では長さが９０ｍｍ程度とされている。また、直径は、クリップ１１を除いてもっとも太い部分が、１４ｍｍ程度とされている。
【００３２】
次に、以上のように構成されたタッチペンＴＰの使用方法について説明する。携帯型情報処理装置がスマートフォンの場合を例にして説明する。スマートフォン等におけるタッチパネル式の表示画面を操作するときは、通常のタッチペンを使用する場合と同様にして行えばよい。すなわち、タッチペンＴＰを片手で把持しつつ、そのパッド部１ｂを表示画面の所望位置に当接させて、表示画面の操作を行えばよい。
【００３３】
スマートフォン（の表示画面）を横向き状態で保持させておくには、タッチペンＴＰを、図４、図５に示すように、例えば机上面５０のような水平な平坦面上に横倒しの状態とする。この横倒し状態のとき、クリップ１１が上方に位置するように、つまり支持溝部２１の上方開口部２１ａが上方を向く状態とする。
【００３４】
上記のように横倒し状態とされたタッチペンＴＰの支持溝部２１に対して、図４、図５に示すように、スマートフォン６０の側縁部を挿入する。なお、図４では、スマートフォン６０が一点鎖線で示される。このとき、スマートフォン６０の側縁部のうち、長手方向端部を支持溝部２１に挿入して、スマートフォン１００の側縁部の他端部側が机上面５０上に載置（当接）された状態とする。このようにして、スマートフォン６０は、その表示画面６１が横向き状態でもって机上面５０上に立て掛け支持されることになる。
【００３５】
支持溝部２１は、上方に向けて徐々に幅広くされているので、スマートフォン６０の側縁部を支持溝部２１に対してスムーズに挿入することができる。また、スマートフォン６０は、機種等によってその厚さが若干相違するが、この厚さの相違にも容易に対応することができる（厚さの薄いものほど、支持溝部２１内に奥深く挿入される）。
【００３６】
支持溝部２１の傾斜設定により、スマートフォン６０の表示画面６１は、若干上向きとされた横向き状態とされる。支持溝部２１の傾斜度合いを種々選択することにより、立て掛け支持されたスマートフォン６０の表示画面６１が机上面５０に対してなす角度を選択することができる。例えば、表示画面６１が机上面５０に対して４５度〜９０度の角度でもってスマートフォン６０を立て掛け支持させることができる。
【００３７】
支持溝部２１は、実施形態では、タッチペンＴＰの軸方向において、第３部材３０側に片寄った位置に形成されている。そして、支持溝部２１の傾斜方向は、第３部材３０とは反対側（つまりパッド部１ｂ側）となるようにされている。これにより、スマートフォン６０を立て掛け支持しているときに、タッチペンＴＰのうちスマートフォン６０の傾斜方向に位置する部分の長さが十分に確保されて、スマートフォン６０を安定して立て掛け支持する上で好ましいものとなっている。
【００３８】
図６、図７は、本考案の第２の実施形態を示すものであり、前記実施形態と同一構成要素には同一符号を付してその重複した説明は省略する。本実施形態におけるタッチペンＴＰ-２は、大別して、互いに着脱関係とされる本体部材１００と筆記用部材１１０とから構成してある。
【００３９】
本体部材１００は、前記実施形態における第１部材１０、クリップ１１、第２部材２０、第３部材３０を有する点において、前記実施形態と同じである。ただし、本体部材１００は、パッド部材１を有しないで、前記実施形態においてパッド部材１を設けた位置に第３部材３０を設けたものとなっている。
【００４０】
一方、筆記用部材１１０は、その先端部が筆記部１１１とされ、その他端部がパッド部１ｂ（パッド部材１）とされている。本実施形態では、筆記用部材１１０は、ノック式のボールペンあるいはシャープペンシルとされて、パッド部１ｂ側を押圧（ノック）操作することによって、筆記部１１１が筆記用部材１１０の先端面から出し入れされるようになっている。
【００４１】
筆記用部材１１０の略中間部外周には、環状のストッパ部１１２が一体成形されている。このストッパ部１１２は、本体部材１００における第２部材２０の内径よりも若干大径となるように設定されている。
【００４２】
筆記用部材１１０のうち、ストッパ部１１２よりも先端側部分は、本体部材１００に対して、第２部材２０側から挿入可能となっている。この挿入状態が図７に示される。ストッパ部１１２が、第２部材２０の端面に当接することにより、筆記用部材１１０が本体部材１００内に対して所定以上深く挿入されることが規制される。
【００４３】
筆記用部材１１０の外周には、ストッパ部１１２よりも若干先端側において、弾性体からなるリング状のストッパ部材１１３が嵌合保持されている。このストッパ部材１１３の外径は、本体部材１００における第２部材２０の内径よりも若干大きくされている。これにより、筆記用部材１１０を本体部材１００内に挿入した図７の状態で、ストッパ部材１１３が第２部材２０の内周面に弾力的に当接されて、がたつきや抜け止めが行われる。なお、ストッパ部材１１３は、第２部材２０（の内周面）に保持させておくこともできる。
【００４４】
タッチパネル式の表示画面を操作するとき（タッチペンとして使用するとき）は、筆記用部材１１０を本体部材１００内に挿入した図７の状態、または筆記用部材１１０を本体部材１００から引き抜いた図６の状態のいずれの状態でも行うことができる。
【００４５】
タッチペンＴＰ−２を立て掛けスタンドとして使用する場合は、筆記用部材１１０を本体部材１００から引き抜いて、本体部材１００を机上面に横倒しにした状態でもって行えばよい（図５に示す場合と同様の使用形態）。
【００４６】
以上実施形態について説明したが、本考案は、実施形態に限定されるものではなく、実用新案登録請求の範囲記載された範囲において適宜の変更が可能であり、例えば次のような場合をも含むものである。図１〜図５の実施形態において、パッド部材１と第３部材３０との位置関係を逆にすることもできる。第３部材３０（つまり印鑑部）を有しないものであってもよい。図６、図７の実施形態において、クリップ１１を筆記用部材１１０に設けることもできる。クリップ１１を設ける位置は、支持溝部２１の底壁部２１ｃ側の面を除いて、周方向任意の位置を選択することができる。図６、図７の実施形態において、印鑑部材３０を有しない構成として、支持溝部２１とは反対側の端部から筆記用部材１１０を本体部材１００内に挿入するようにしてもよく、この場合、筆記用部材１１０が支持溝部２１まで達しない長さとすることもできる（筆記用部材１１０が本体部材１００内に挿入された状態で、支持溝部２１を利用して携帯型情報処理装置を立て掛けることが可能になる）。
【００４７】
各実施形態において、クリップ１１を有しないものであってもよい。図６、図７の実施形態において、第３部材３０とパッド部１ｂとの位置関係を逆にすることもできる。支持溝部２１の底壁側の外面を、平坦面としておくこともでき、この場合、立て掛けスタンドとして使用する場合に、タッチペンＴＰあるいは本体部材１００を、安定して机上面に載置しておく上で好ましいものとなる。第２部材２０を、筒状部材ではなく、中実状部材によって構成してもよい。第１部材１０と第２部材２０とを別部材で構成することなく、互いに一体成形してもよい。本考案によるタッチペンによって立て掛け支持される対象となる携帯型情報処理装置としては、スマートフォンに限らず、携帯電話、ＰＤＦ、タブレットパソコン等、適宜のものを含むものである。勿論、本考案の目的は、明記されたものに限らず、実質的に好ましいあるいは利点として表現されたものを提供することをも暗黙的に含むものである。
【産業上の利用可能性】
【００４８】
本考案は、タッチペンを携帯型情報処理装置の立て掛けスタンドとして兼用することができる。
【符号の説明】
【００４９】
ＴＰ：タッチペン（図１〜図５）
ＴＰ−２：タッチペン（図６、図７）
１：パッド部材
１ｂ：パッド部
１０：第１部材
１１：クリップ
２０：第２部材
２１：支持溝部
２１ａ：上方開口部
２１ｂ：左右開口部
２１ｃ：底壁部
２１ｄ：支承面
２１ｅ：支承面
３０：第３部材
３１：タンク部材
３１ａ：押印面
３２：キャップ
６０：スマートフォン
６１：表示画面
１００：本体部材
１１０：筆記用部材
１１１：筆記部
１１２：ストッパ部
１１３：ストッパ部材
【図１】
0003211648.tif 000003
【図２】
0003211648.tif 000004
【図３】
0003211648.tif 000005
【図４】
0003211648.tif 000006
【図５】
0003211648.tif 000007
【図６】
0003211648.tif 000008
【図７】
0003211648.tif 000009